(57)【要約】【課題】唾液採取器具における、誤飲及び唾液採取の容易性の問題を解決することを課題とする。【解決手段】本考案は、吸収性担体を備える唾液採取用の器具であって、当該吸収性担体が唾液を吸収した状態で気体を通過させることが可能な貫通孔を、少なくとも１つ有する唾液採取器具を提供する。また、本考案は、紐を備える吸収性担体を備える唾液採取用器具であって、当該紐は、唾液採取中に口腔外にて保持することにより吸収性担体の誤飲を防ぐことが可能な紐である、唾液採取器具を提供する。【選択図】図１
0003138944.tif 000002
【実用新案登録請求の範囲】
【請求項１】
少なくとも１つの貫通孔を有する吸収性担体を備える唾液採取器具。
【請求項２】
吸収性担体が長手方向を有する形状である、請求項１に記載の唾液採取器具
【請求項３】
吸収性担体の外形が円柱状である、請求項１に記載の唾液採取器具。
【請求項４】
長手方向の長さが、長手方向に垂直な断面又は当該断面の外接円の直径の１．０〜３．０倍である、請求項２又は請求項３に記載の唾液採取器具。
【請求項５】
貫通孔が吸収性担体の長手方向と平行な孔である、請求項２〜請求項４のいずれか１項に記載の唾液採取器具。
【請求項６】
貫通孔が１〜４個である、請求項１〜請求項５のいずれか１項に記載の唾液採取器具。
【請求項７】
貫通孔の直径が、吸収性担体の貫通孔と垂直な断面又は当該断面の外接円の直径の６分の１以上である請求項１〜請求項６のいずれか１項に記載の唾液採取器具。
【請求項８】
更に、吸収性担体と結合する紐を備える、請求項１〜請求項７のいずれか１項に記載の唾液採取器具。
【請求項９】
紐が吸収性担体と溶着、接着、圧着、又は、結着により結合されている、請求項８に記載の唾液採取器具。
【請求項１０】
紐が吸収性担体と一体となって成形されている、請求項８に記載の唾液採取器具。
【考案の詳細な説明】
【技術分野】
【０００１】
本考案は、誤飲した場合に気管を閉塞させない唾液採取器具に関するものである。
【背景技術】
【０００２】
ストレスや免疫、ニコチンやコカイン等の薬剤、感染症等に関する研究及び臨床検査に用いる試料として唾液の利用が期待されている。これらの測定に用いる唾液を採取する器具として、例えば、円柱状のコットンが用いられている。しかし、当該コットンを用いて唾液を採取する場合には、当該コットンを口腔内に挿入し、毛細管現象で唾液を吸収させるため、誤飲しやすいという問題があった。また、当該コットンは、長手方向の長さが、長手方向に垂直な断面を構成する円の直径の３．５〜４倍であることから、口に含みにくい形状であるという問題があった。
【０００３】
このような誤飲を防ぐため、器具の一部のみを口腔内に挿入する器具が知られている。例えば、綿棒等の棒状の唾液採取器具が開示されている（例えば、特許文献１参照）が、本器具を用いた場合には、棒部分が唾液吸収部位を口腔内に含むのに妨げとなっている為、吸収時間を要するという問題があった。また、例えば、一端を口腔内に含ませる板状の唾液採取器具が開示されている（例えば、特許文献２参照）が、本器具を用いた場合には、唾液の吸収が吸収性パッドの一端のみで行われることから、吸収に時間を要するという問題があった。
【０００４】
【特許文献１】特開２００３−１４７３３号公報
【特許文献２】特開２００４−５３４９４４号公報
【考案の開示】
【考案が解決しようとする課題】
【０００５】
本考案は、以上のような従来の唾液採取器具における、誤飲及び唾液採取の容易性の問題を解決することを課題とする。
【課題を解決するための手段】
【０００６】
以上の課題を解決するため、考案者らが検討した結果、全てを口腔内に挿入する吸収性担体に少なくとも１つの貫通孔を設けることで、誤飲した場合にも気道が確保できることを見出し、本考案を完成させた。さらに、本考案者らは、当該吸収性担体に紐を結合させることにより、唾液吸収部位を口腔内に含むのに妨げることなく誤飲を防止できることを見出し、本考案を完成させた。
【０００７】
本考案は少なくとも１つの貫通孔を有する吸収性担体を備える唾液採取器具に関する。本考案の唾液採取器具が備える吸収性担体の外形は、口腔内に挿入することにより唾液を吸収することが可能な形状であれば特に限定されないが、例えば、球状、円柱状、ラグビーボール状、多角柱状等を挙げることができ、好ましくは、長手方向を有する形状であり、より好ましくは、円柱状である。また、本考案の唾液採取器具が備える吸収性担体が長手方向を有する形状である場合、好ましくはその長手方向の長さが、長手方向に垂直な断面を構成する円又は外接円の直径の１．０〜３．０倍（より好ましくは、１．５〜２．５倍）である。
【０００８】
本考案の唾液採取器具の吸収性担体が備える貫通孔の数は、特に限定されないが、好ましくは、１〜４個であり、より好ましくは、１又は２個であり、より更に好ましくは１個である。
【０００９】
本考案の唾液採取器具の吸収性担体が備える貫通孔は、唾液採取器具の吸収性担体を貫通する形状であれば特に限定されない。吸収性担体が長手方向を有する場合、本考案の唾液採取器具の吸収性担体が備える貫通孔は、好ましくは、長手方向と平行な孔である。例えば、吸収性担体が円柱状の場合、本考案の唾液採取器具の吸収性担体が備える貫通孔は、好ましくは、円柱状の吸収性担体の両端面を貫通する孔である。
【００１０】
また、本考案の唾液採取器具の吸収性担体が備える貫通孔の直径は、吸収性担体が唾液を吸収した状態において気体を通過させることが可能であり、試験に必要な量の検体を採取することが可能であれば特に限定されない。好ましくは、本考案の唾液採取器具の吸収性担体が備える貫通孔の直径は、吸収性担体を貫通孔と垂直に切断した断面の円又は当該断面の外接円の直径の６分の１以上であり、より好ましくは、５分の１以上２分の１以下であり、より更に好ましくは、５分の１以上３分の１以下である。
ここで、本考案の唾液採取器具の吸収性担体の材質としては、液体特に唾液の吸収性能が大きいものであれば、特に限定されるものではないが、例えば医療用に使用可能なスポンジが好ましく用いられる。その素材としてはポリウレタン、ポリビニルアルコール、セルローズ、ポリエチレン、ポリプロピレン等が挙げられる。
【００１１】
更に、本発明の唾液採取器具は、吸収性担体と結合する紐を備えていてもよい。吸収性担体と紐は、別々に製造したものを結合させてもよいし、一体となって成形されてもよい。例えば、吸収性担体と紐とを別々に製造した場合、吸収性担体と紐との結合方法は特に限定されないが、例えば、溶着、接着、圧着、結着を挙げることができる。ここで用いられる紐としては糸状のものが好ましく、その材質としては天然繊維や化学繊維が挙げられる。
【考案の効果】
【００１２】
本考案の唾液採取器具は、貫通する孔を有するため、誤飲した場合にも気道を塞ぐことがないという効果を奏する。また、別の態様において、本発明の唾液採取器具は、長手方向の長さが、長手方向に垂直な断面を構成する円の直径の１．０〜２．５倍であることから、口に含みやすい形状である。更に別の態様において、本発明の唾液採取器具は、紐を備えることにより、唾液の吸収を効率よく行うと共に誤飲を防ぐことができる。
【考案を実施するための最良の形態】
【００１３】
次に、本考案の好適な実施の形態について以下に図面を参照しながら説明する。但し、本考案はこれに限定されるものではない。
【００１４】
図１は、本考案の第一の実施の形態を表す斜視図である。第一の実施の形態において、本考案の唾液採取器具１は、貫通孔を１つ有する吸収体２からなる。吸収体２の外形は、上面３、底面４、及び、側面５を有し、高さ２．５センチメートル、上面及び下面の直径が１センチメートルの円柱体の形状である。また、吸収体２には、上面３と底面４とを貫く貫通孔が設けてある。図２は本考案の第一の実施の形態における唾液採取器具の側面図である。吸収体２は円中体の形状であるため、側面から見た場合には長方形となる。図３は、本考案の第一の実施の形態における唾液採取器具の上面図である。円中体の形状である吸収体２には、上面３と底面４とを貫く貫通孔が一つ設けられているため、上面側から見た場合には、リング状となる。本実施の形態において、貫通孔の直径は、約３ミリメートルである。
【００１５】
図４は、本考案の第二の実施の形態を表す斜視図である。第二の実施の形態において、本考案の唾液採取器具１１は、貫通孔を２つ有する吸収体１２からなる。吸収体１２の外形は、上面１３、底面１４、及び、側面１５を有し、高さ１．７センチメートル、上面及び下面の直径が１センチメートルの円柱体の形状である。また、吸収体１２には、上面１３と底面１４とを貫く貫通孔が設けてある。図５は、本考案の第二の実施の形態における唾液採取器具の上面図である。本実施の形態において、貫通孔の直径は、上面１３の直径の約４分の１である。本考案の第二の実施の形態において、二つの貫通孔の中心及び吸収体１２の上面１３の中心は直線上に配置されているが、これらの中心は直線状に配置されていなくてもよい。また、図６は、本考案の第二の実施の形態における唾液採取器具を、図５に示したＡ−Ａ’線で切断した断面図を表す。貫通孔表面１６により囲まれる貫通孔は、長手方向と平行に上面１３から底面１４まで貫通している。
【００１６】
図７は、本考案の第三の実施の形態を表す斜視図である。本実施の形態において、本考案の唾液採取器具２１は、貫通孔を１つ有する吸収体２２及び吸収体２２と結合した紐２７からなる。図７において、一点破線は、吸収体２２内を貫通する紐２７を表す。紐２７は、吸収体２２の紐貫通部２８ａ、紐貫通部２８ｂ、紐貫通部２８ｃを貫通して、吸収体２２の側面２５上に存在する溶着部２９において溶着されている。図８は、本考案の第三の実施の形態における唾液採取器具の上面図である。紐２７は、その一端が溶着部２９で溶着され、溶着部２９と近接した位置で吸収体２２の内部を通り、貫通孔表面２６上の紐貫通部２８ａにて一度吸収体２２の外部（貫通孔）を通過した後、再び、貫通孔表面２６上の紐貫通部２８ａと対抗する位置に存在する紐貫通部２８ｂより吸収体２２の内部を通り、吸収体２２の側面２５上の紐貫通部２８ｃから外部に出ている。なお、本実施の形態において、紐２７は、吸収体２２の内部を通過しているが、本考案はこれに限定されるものではなく、例えば、紐２７が、吸収体２２の内部を通過することなく、一端が吸収体２２と結合しているだけであってもよい。また、本実施の形態において、紐２７は、貫通孔表面２６において一度吸収体２２の外部に出ているが、紐２７は、一度も吸収体４の外部に出ることなく、吸収体２２の内部を通過していてもよい。また、本実施の形態において、紐２７は、上面２３と平行に配されているが、紐２７の配置の仕方はこれに限定されるものではない。
【００１７】
図９は、本考案の第四の実施の形態を表す斜視図である。本実施の形態において、本考案の唾液採取器具３１は、貫通孔を１つ有する吸収体３２及び吸収体３２と結合した紐３７からなる。図７において、破線は、吸収体３２の表面上に配置された紐３７を表す。本実施の形態において、紐３７は、一端が吸収体３２の底面３４上の接着部３９で接着されており、当該接着部より貫通孔を通過するように配置されている。紐３７は、貫通孔表面３６上においてその一部又は全部が接着されていてもよい。
【００１８】
図１０は、本考案の第五の実施の形態を表す斜視図である。本実施の形態において、本考案の唾液採取器具４１は、貫通孔を１つ有する吸収体４２及び吸収体４２と結合した紐４７からなる。本実施の形態において、紐４７の一端は、吸収体４２の上面４３、側面４５、底面４４、及び、貫通孔表面４６の表面上に配置されるように、結着されている。本実施の形態においては、紐４７は、吸収体４２の内部を通過することなくその表面に配置されているが、吸収体４２の内部を通過させた紐４７を結着により吸収体４２と結合させてもよい。
【００１９】
なお、以上の実施の形態において、貫通孔の断面は全て円形であるが、貫通孔の断面の形状はこれに限定されるものではない。また、以上の実施の形態において吸収体の形状は円柱状であるが、吸収体の形状はこれに限定されるものではない。
【産業上の利用可能性】
【００２０】
本考案の唾液採取器具は、医療、研究等の分野における唾液検体採取用の器具として利用することができる。
【図面の簡単な説明】
【００２１】
【図１】本考案の第一の実施の形態を表す斜視図である。
【図２】本考案の第一の実施の形態における唾液採取器具の側面図である。
【図３】本考案の第一の実施の形態における唾液採取器具の上面図である。
【図４】本考案の第二の実施の形態を表す斜視図である。
【図５】本考案の第二の実施の形態における唾液採取器具の上面図である。
【図６】本考案の第二の実施の形態における唾液採取器具を、図５に示したＡ−Ａ’線で切断した断面図を表す。
【図７】本考案の第三の実施の形態を表す斜視図である。
【図８】本考案の第三の実施の形態における唾液採取器具の上面図である。
【図９】本考案の第四の実施の形態を表す斜視図である。
【図１０】本考案の第五の実施の形態を表す斜視図である。
【符号の説明】
【００２２】
１    唾液採取器具
３    上面
４    底面
５    側面
６    貫通孔表面
１１  唾液採取器具
１３  上面
１４  底面
１５  側面
１６  貫通孔表面
２１  唾液採取器具
２３  上面
２５  側面
２６  貫通孔表面
２７  紐
２８  紐貫通部
２９  溶着部
３１  唾液採取器具
３３  上面
３５  側面
３６  貫通孔表面
３７  紐
３９  接着部
４１  唾液採取器具
４３  上面
４５  側面
４６  貫通孔表面
４７  紐
４９  結着部
【図１】
0003138944.tif 000003
【図２】
0003138944.tif 000004
【図３】
0003138944.tif 000005
【図４】
0003138944.tif 000006
【図５】
0003138944.tif 000007
【図６】
0003138944.tif 000008
【図７】
0003138944.tif 000009
【図８】
0003138944.tif 000010
【図９】
0003138944.tif 000011
【図１０】
0003138944.tif 000012